(57)【特許請求の範囲】
【請求項１】
第１の内面と、前記第１の内面と対向した第２の内面と、を有した筐体と、
前記第１の内面に重ねられて前記筐体に収容されたユニット部と、前記ユニット部に重ねられて前記第２の内面と対向したパネルと、を有したディスプレイモジュールと、
前記第１の内面から突出した受け部と、
を具備し、
前記受け部が、
前記ユニット部の側部に面した基部と、
前記基部の端部に設けられ、前記ディスプレイモジュールから離れる方向に曲げられた湾曲部と、
前記基部の先端から突出して前記パネルの側部に面し、互いに近づく方向に傾斜した一対の縁部を有した延出部と、
を備えたテレビ。
【請求項２】
前記延出部と前記第２の内面との間の隙間が、前記パネルと前記第２の内面との間の隙間より狭い請求項１に記載のテレビ。
【請求項３】
前記受け部と前記ディスプレイモジュールの側部との間に挟まれたクッション部材をさらに具備した請求項１または２に記載のテレビ。
【請求項４】
第１の内面と、前記第１の内面と対向した第２の内面と、を有した筐体と、
前記第１の内面に重ねられて前記筐体に収容されたユニット部と、前記ユニット部に重ねられて前記第２の内面と対向したパネルと、を有したディスプレイモジュールと、
前記第１の内面から突出した受け部と、
を具備し、
前記受け部が、
前記ユニット部の側部に面した基部と、
前記基部の先端から突出して前記パネルの側部に面し、第１の縁部と、前記第１の縁部に近づく方向に傾斜した第２の縁部と、を有した延出部と、
を備えた電子機器。
【請求項５】
前記受け部が、前記基部の端部に設けられ、前記ディスプレイモジュールから離れる方向に曲げられた湾曲部をさらに備えた請求項４に記載の電子機器。
【請求項６】
前記延出部と前記第２の内面との間の隙間が、前記パネルと前記第２の内面との間の隙間より狭い請求項５に記載の電子機器。
【請求項７】
前記受け部と前記ディスプレイモジュールの側部との間に挟まれたクッション部材をさらに具備した請求項６に記載の電子機器。
【請求項８】
前記クッション部材が、前記基部に取り付けられるとともに前記湾曲部に面した請求項７に記載の電子機器。
【請求項９】
前記受け部が、前記基部から前記ディスプレイモジュールの反対方向に向かって延出した補強部をさらに備え、
前記補強部が前記第１の内面と前記基部とに跨って設けられた請求項８に記載の電子機器。
【請求項１０】
前記基部が、前記パネルの側部から前記第１の内面の方向に外れた請求項４または９に記載の電子機器。
【発明の詳細な説明】
【技術分野】
【０００１】
本発明の実施形態は、テレビおよび電子機器に関する。
【背景技術】
【０００２】
テレビやポータブルコンピュータのような電子機器は、画像を表示するディスプレイモジュールを備えている。ディスプレイモジュールは、例えば液晶ディスプレイ（ＬＣＤ）や、プラズマディスプレイである。
【０００３】
ディスプレイモジュールは、筐体の内部に収容される。筐体の内部には、ディスプレイモジュールの側面に沿って複数のリブが設けられる。例えば電子機器が落下して衝撃を受けた場合、これらのリブがディスプレイモジュールを受け止める。
【０００４】
リブに受け止められたディスプレイモジュールが破損することを防止するため、リブまたはディスプレイモジュールにゴムのようなクッション部材が取り付けられることがある。クッション部材は、リブとディスプレイモジュールの間に介在し、ディスプレイモジュールが受ける衝撃を緩和する。
【先行技術文献】
【特許文献】
【０００５】
【特許文献１】特開２００６−３３１１０３号公報
【発明の概要】
【発明が解決しようとする課題】
【０００６】
ディスプレイモジュールは、画像を表示する表示面を覆うガラスパネルを有している。このガラスパネルは薄く形成されているため、衝撃に対して脆弱である。このため、ガラスパネルに作用する外力を可能な限り低減することが求められる。
【０００７】
本発明の目的は、ディスプレイモジュールの破損を防止できるテレビおよび電子機器を提供することである。
【課題を解決するための手段】
【０００８】
上記目的を達成するため、一つの実施形態に係る電子機器は、  
筐体と、ディスプレイモジュールと、受け部と、を具備している。前記筐体は、第１の内面と、前記第１の内面と対向した第２の内面と、を有している。前記ディスプレイモジュールは、前記第１の内面に重ねられて前記筐体に収容されたユニット部と、前記ユニット部に重ねられて前記第２の内面と対向したパネルと、を有している。前記受け部は、前記第１の内面から突出している。前記受け部は、前記ユニット部の側部に面した基部と、前記基部の先端から突出して前記パネルの側部に面し、第１の縁部と、前記第１の縁部に近づく方向に傾斜した第２の縁部と、を有した延出部と、を備えている。
【図面の簡単な説明】
【０００９】
【図１】第１の実施の形態に係るテレビを示す正面図。
【図２】第１の実施形態のテレビからカバー部材を除いて示す正面図。
【図３】第１の実施形態のテレビの一部を拡大して示す正面図。
【図４】図３のＦ４−Ｆ４線に沿ってテレビの一部を示す断面図。
【図５】第１の実施形態の第１の受け部を示す正面図。
【図６】第１の実施形態のテレビのカバー部材が外力を受けた状態を示す断面図。
【図７】第２の実施の形態に係るポータブルコンピュータを示す斜視図。
【図８】第２の実施形態の第２のユニットからカバー部材を除いて示す平面図。
【図９】第２の実施形態のベース部材の一部を拡大して示す斜視図。
【発明を実施するための形態】
【００１０】
以下に、第１の実施の形態について、図１から図６を参照して説明する。なお、本明細書において、手前側（即ちユーザ側）を前方向、ユーザから見て奥側を後方向、ユーザから見て左側を左方向、ユーザから見て右側を右方向、ユーザから見て上方を上方向、ユーザから見て下方を下方向と定義する。
【００１１】
図１は、第１の実施の形態のテレビ１を一部切り欠いて示す正面図である。図２は、カバー部材８を除いたテレビ１の一部を示す正面図である。図３は、テレビ１の一部を拡大して示す正面図である。テレビ１は、テレビおよび電子機器の一例である。テレビ１は、例えば、液晶テレビである。なお、テレビ１はこれに限らず、例えばプラズマテレビのような他のテレビでも良い。
【００１２】
図１に示すように、テレビ１は、筐体３と、ディスプレイモジュール４と、支持脚５とを有している。ディスプレイモジュール４は、例えば液晶ディスプレイ（ＬＣＤ）であり、筐体３に収容されている。支持脚５は、筐体３を支持する。
【００１３】
筐体３は、ベース部材７と、カバー部材８とを有している。ベース部材７は、筐体３の背面を形成している。ベース部材７は、筐体３の側面を形成する側壁９を有している。カバー部材８は、ベース部材７に取り付けられ、筐体３の前面を形成している。
【００１４】
ベース部材７は、例えばマグネシウム合金によって形成される。ベース部材７はこれに限らず、アルミニウム合金や合成樹脂のような他の材料で形成されていても良い。ベース部材７は、第１の内面１１を有している。第１の内面１１に、ディスプレイモジュール４が取り付けられている。
【００１５】
図４は、図３のＦ４−Ｆ４線に沿ってテレビ１の一部を示す断面図である。図４に示すように、カバー部材８は、第２の内面１３を有している。第２の内面１３は、第１の内面１１と対向している。カバー部材８に、開口部１４が設けられている。開口部１４は、第２の内面１３に開口する。
【００１６】
開口部１４は、カバーガラス１６によって塞がれている。カバーガラス１６の表面は、カバー部材８の外面とほぼ同一平面をなしている。カバー部材８とカバーガラス１６とは、透明なフィルタ１７に覆われている。
【００１７】
ディスプレイモジュール４は、ユニット部２１と、パネル２２と、フレーム部２３とを有している。ユニット部２１は、例えば液晶や光源が積層されて形成されている。ユニット部２１は、第１の内面１１に重ねられている。なお、ユニット部２１と第１の内面１１との間に、例えばクッションが挟まれていても良い。
【００１８】
パネル２２は、例えばガラスパネルである。なお、パネル２２は、例えばアクリルのような透光性材料によって形成されたパネルでも良い。パネル２２は、ユニット部２１に重ねられ、映像が表示されるディスプレイモジュール４の表示面を形成している。パネル２２は、第２の内面１３と対向し、開口部１４から筐体３の外部に露出されている。
【００１９】
フレーム部２３は、ユニット部２１およびパネル２２の外周に嵌められている。フレーム部２３は、ユニット部２１にパネル２２を固定する。フレーム部２３は、ディスプレイモジュール４の側部４ａを形成する。
【００２０】
図２に示すように、ディスプレイモジュール４は、蛍光管２４をさらに有している。蛍光管２４は、ディスプレイモジュール４の下端４ｂに沿ってユニット部２１の内部に設けられている。下端４ｂは、ディスプレイモジュール４の下方向の側部である。蛍光管２４は、ディスプレイモジュール４の光源として用いられる。
【００２１】
ベース部材７の第１の内面１１に、複数の第１の受け部２５と、第２の受け部２６と、第３の受け部２７とが設けられている。第１の受け部２５と、第２の受け部２６と、第３の受け部２７とは、受け部の一例であり、それぞれ第１の内面１１から突出している。
【００２２】
複数の第１の受け部２５と、第２の受け部２６と、第３の受け部２７とは、ディスプレイモジュール４の左右方向の側部４ａに沿って、それぞれ配置されている。このため、第１の受け部２５と、第２の受け部２６と、第３の受け部２７とは、蛍光管２４と対向する位置から外れて配置されている。なお、第１の受け部２５と、第２の受け部２６と、第３の受け部２７とは、ディスプレイモジュール４の下端４ｂおよび上端４ｃに沿って配置されても良い。
【００２３】
図２に示すように、複数の第１の受け部２５と、第２の受け部２６と、第３の受け部２７とは、ディスプレイモジュール４の側部４ａに沿って並んでいる。第２の受け部２６は、ディスプレイモジュール４の下端４ｂの近辺に配置されている。第３の受け部２７は、ディスプレイモジュール４の上端４ｃの近辺に配置されている。複数の第１の受け部２５は、第２の受け部２６と第３の受け部２７との間にそれぞれ配置されている。
【００２４】
第２の受け部２６と第３の受け部２７とは、第１の受け部２５よりディスプレイモジュール４から離れて設けられている。第２の受け部２６と第３の受け部２７との構成は、第１の受け部２５の構成と同様である。このため、以下では第１の受け部２５についてのみ説明する。
【００２５】
図５は、第１の受け部２５を示す正面図である。図５において、ディスプレイモジュール４が二点鎖線で示されている。図５に示すように、第１の受け部２５は、基部３１と、一対の湾曲部３２と、延出部３３とを備えている。図３に示すように、第１の受け部２５は、複数の補強部３４をさらに備えている。
【００２６】
基部３１は、ディスプレイモジュール４の側部４ａに沿って延びている。図４に示すように、基部３１は、平坦な対向面３６を有している。基部３１の対向面３６は、フレーム部２３を挟んで、ディスプレイモジュール４のユニット部２１の側部２１ａに面している。
【００２７】
基部３１は、第１の内面１１に対して垂直に突出している。対向面３６は、フレーム部２３を挟んでユニット部２１の側部２１ａと対向している。なお、基部３１は、第１の内面１１に対して傾斜して突出しても良い。
【００２８】
基部３１は、パネル２２の側部２２ａから第１の内面１１の方向に外れている。言い換えると、基部３１は、第１の内面１１からユニット部２１の厚みより小さく突出している。なお、基部３１は、パネル２２の側部２２ａと面していても良い。
【００２９】
図５に示すように、第１の内面１１から基部３１の先端３１ａまでの長さは、ユニット部２１の厚みより短い。なお、基部３１がパネル２２の側部２２ａから第１の内面１１の方向に外れているならば、基部３１は、第１の内面１１からユニット部２１の厚みより大きく突出していても良い。
【００３０】
一対の湾曲部３２は、それぞれ基部３１の端部３１ｂに設けられている。図３に示すように、湾曲部３２は、ディスプレイモジュール４から離れる方向に向かって円弧状に曲げられている。湾曲部３２は、それぞれ曲面３７を有している。曲面３７は、基部３１の対向面３６に連続している。
【００３１】
図５に示すように、一対の湾曲部３２は、第１の内面１１に対して垂直に突出している。なお、一対の湾曲部３２は、互いに近づく方向に傾斜して設けられていても良い。
【００３２】
延出部３３は、基部３１の先端３１ａから第２の内面１３に向かって突出している。延出部３３の幅は、基部３１と湾曲部３２とを合せた幅より狭い。図４に示すように、延出部３３は、フレーム部２３を挟んで、ディスプレイモジュール４のパネル２２の側部２２ａに面している。
【００３３】
図３に示すように、延出部３３は、ディスプレイモジュール４の側部４ａに沿って延びている。延出部３３は、頂部４０と、第１の縁部４１と、第２の縁部４２とを有している。第１の縁部４１および第２の縁部４２は、第１の縁部および第２の縁部の一例であるとともに、一対の縁部の一例である。
【００３４】
頂部４０は、突出する延出部３３の先端である。図４に示すように、頂部４０は、平坦に形成されている。頂部４０は、第２の内面１３に対向している。
【００３５】
図５に示すように、第１の縁部４１は、第２の縁部４２に近づく方向に傾斜している。第２の縁部４２は、第１の縁部４１に近づく方向に傾斜している。すなわち、第１の縁部４１と第２の縁部４２とは、互いに近づく方向に傾斜している。
【００３６】
第１の縁部４１と第２の縁部４２とは、それぞれパネル２２の側部２２ａと斜めに交差する方向に延びている。図３に示すように、延出部３３の下端から頂部４０までの長さＬ１は、第１の縁部４１の長さＬ２より短い。同様に、長さＬ１は、第２の縁部４２の長さＬ３より短い。
【００３７】
延出部３３は、ディスプレイモジュール４のパネル２２の厚みより大きく突出している。図４に示すように、延出部３３と第２の内面１３との間の隙間Ｓ１は、パネル２２と第２の内面１３との間の隙間Ｓ２より狭い。
【００３８】
複数の補強部３４は、それぞれ基部３１から、ディスプレイモジュール４の反対方向に向かって延出している。補強部３４は、第１の内面１１と基部３１と延出部３３とに跨って設けられている。
【００３９】
図３に示すように、複数の補強部３４は、それぞれ端部３４ａを有している。補強部３４の端部３４ａは、基部３１から延出した補強部３４の先端部分である。一対の湾曲部３２は、それぞれ端部３２ａを有している。湾曲部３２の端部３２ａは、基部３１の端部３１ｂから延びた湾曲部３２の先端部分である。
【００４０】
複数の補強部３４の端部３４ａは、図３に一点鎖線で示す直線Ａで結ばれる。一対の湾曲部３２の端部３２ａも直線Ａで結ばれる。言い換えると、複数の補強部３４の端部３４ａと一対の湾曲部３２の端部３２ａとは、同一直線上に配置されている。なお、補強部３４の端部３４ａと湾曲部３２の端部３２ａとが、それぞれずれて配置されていても良い。
【００４１】
筐体３の内部に、配線４４が設けられている。配線４４は、ディスプレイモジュール４と側壁９との間を通っている。図３に示すように、配線４４は、第１の受け部２５を避けて、第１の受け部２５と側壁９との間を通る。
【００４２】
基部３１に、弾性を有する複数のクッション部材４６がそれぞれ取り付けられている。クッション部材４６は、例えば合成ゴム、スポンジ、布、または高分子材料によって形成された衝撃吸収材のような、種々の緩衝材が適用される。
【００４３】
クッション部材４６は、例えば接着剤によって、基部３１の対向面３６に貼り付けられる。クッション部材４６は、ディスプレイモジュール４の側部４ａと、第１の受け部２５との間に挟まれる。
【００４４】
なお、複数のクッション部材４６は、ディスプレイモジュール４の側部４ａに取り付けられていても良い。この場合、クッション部材４６は、それぞれ第１の受け部２５に対応する位置に設けられる。
【００４５】
図３に示すように、クッション部材４６の幅は、基部３１の幅より広い。このため、クッション部材４６は、一対の湾曲部３２にそれぞれ面している。クッション部材４６は、湾曲部３２とそれぞれ離間している。なお、クッション部材４６は、湾曲部３２に接触していても良い。
【００４６】
図２に示すように、ベース部材７の第１の内面１１に、複数の支持リブ４８が設けられている。支持リブ４８は、ディスプレイモジュール４の下端４ｂと上端４ｃとにそれぞれ沿って配置されている。
【００４７】
支持リブ４８は、第１の内面１１からユニット部２１の厚みより大きく突出している。支持リブ４８は、フレーム部２３を挟んでユニット部２１の側部２１ａとパネル２２の側部２２ａとにそれぞれ対向している。
【００４８】
支持リブ４８とディスプレイモジュール４との間に、緩衝材４９が挟まれている。緩衝材４９は、支持リブ４８に取り付けられている。複数の支持リブ４８は、緩衝材４９を介してディスプレイモジュール４を挟持している。
【００４９】
ディスプレイモジュール４は、支持リブ４８に挟持されることによってベース部材７の第１の内面１１に取り付けられている。なお、ディスプレイモジュール４はこれに限らず、例えばベース部材７にねじ止めされていても良い。
【００５０】
上記構成のテレビ１によれば、テレビ１が衝撃を受けたとしても、複数の第１の受け部２５がクッション部材４６を介してディスプレイモジュール４を受け止める。第１の受け部２５がディスプレイモジュール４を受け止めると、第１の受け部２５とディスプレイモジュール４との間に挟まれたクッション部材４６が衝撃を緩和する。
【００５１】
衝撃によってディスプレイモジュール４が筐体３に対して傾く場合がある。この場合、ディスプレイモジュール４は、湾曲部３２の曲面３７に沿って傾く。クッション部材４６が湾曲部３２に面しているため、傾いたディスプレイモジュール４と湾曲部３２との間で、クッション部材４６が挟まれる。傾いたディスプレイモジュール４は、第２の受け部２６または第３の受け部２７によって受け止められる。
【００５２】
ディスプレイモジュール４のパネル２２は、クッション部材４６を介して延出部３３によって受け止められる。第１の縁部４１と第２の縁部４２とは、互いに近づく方向に傾斜し、それぞれパネル２２の側部２２ａと斜めに交差する方向に延びている。パネル２２が延出部３３に受け止められると、第１の縁部４１または第２の縁部４２に受け止められた部分に応力が集中する。
【００５３】
パネル２２に生じる応力は、第１の縁部４１または第２の縁部４２の長さが長くなるに従って減少する。第１の縁部４１の長さＬ２および第２の縁部４２の長さＬ３は、延出部３３の下端から頂部４０までの長さＬ１より長い。このため、パネル２２に生じる応力が低減される。
【００５４】
図６は、カバー部材８に外力を受けたテレビ１の一部の内部構造を示す断面図である。例えば、カバー部材８が図６の矢印Ｂで示す方向に外力を受けると、カバー部材８が矢印Ｂ方向に撓む。矢印Ｂは、後方向を示す。
【００５５】
カバー部材８が撓むと、延出部３３の頂部４０は、カバー部材８の第２の内面１３に当接する。第１の受け部２５は、頂部４０が第２の内面１３に当接すると、カバー部材８を支持する。この場合、パネル２２と第２の内面１３との間に隙間が存する。これにより、パネル２２がカバー部材８に接触されて破損することを防止できる。以上のように、ディスプレイモジュール４の破損が防止される。
【００５６】
次に、第２の実施の形態について、図７ないし図９を参照して説明する。このとき、第１の実施形態のテレビ１と同一の機能を有する構成部分には同一の参照符号を付してその説明を省略する。
【００５７】
図７は、第２の実施の形態のポータブルコンピュータ１０１を示す斜視図である。ポータブルコンピュータ１０１は、電子機器の一例である。図７に示すように、ポータブルコンピュータ１０１は、第１のユニット１０３と、第２のユニット１０４とを備えている。
【００５８】
第１のユニット１０３と第２のユニット１０４とは、ヒンジ部１０６を介して連結されている。ヒンジ部１０６は、第１のユニット１０３の後端に設けられている。第２のユニット１０４は、ヒンジ部１０６を支点として、閉じ位置と開き位置との間で回動する。
【００５９】
閉じ位置において、第２のユニット１０４は、第１のユニット１０３の上に横たわる。開き位置において、第２のユニット１０４は、第１のユニット１０３の後端から起立する。
【００６０】
第１のユニット１０３は、キーボード１１１と、トラックパッド１１２と、一対のボタン１１３とを有している。キーボード１１１と、トラックパッド１１２と、一対のボタン１１３とは、第１のユニット１０３の上面にそれぞれ設けられている。
【００６１】
第２のユニット１０４は、偏平な箱状の筐体３と、ディスプレイモジュール４とを備えている。筐体３は、ベース部材７と、カバー部材８とを有している。ディスプレイモジュール４は、筐体３に収容されている。カバー部材８の内表面１１５に、開口部１４が設けられている。内表面１１５は、閉じ位置において、第１のユニット１０３と対向する面である。
【００６２】
図８は、第２のユニット１０４からカバー部材８を外して示す平面図である。図８に示すように、ベース部材７に、ディスプレイモジュール４が取り付けられている。ディスプレイモジュール４は、蛍光管２４の代わりにＬＥＤを有している。
【００６３】
図９は、ベース部材７の一部を拡大して示す斜視図である。ベース部材７の第１の内面１１に、複数の第１の受け部２５が設けられている。このように、第１の受け部２５は、テレビ１だけでなく、ポータブルコンピュータ１０１にも用いられる。
【００６４】
なお、本発明は上記実施形態そのままに限定されるものではなく、実施段階ではその要旨を逸脱しない範囲で構成要素を変形して具体化できる。例えば、電子機器は、テレビやポータブルコンピュータに限らず、ディスプレイや携帯電話のような他の電子機器でも良い。
【００６５】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６６】
１…テレビ，３…筐体，４…ディスプレイモジュール，４ａ…側部，１１…第１の内面，１３…第２の内面，２１…ユニット部，２１ａ…側部，２２…パネル，２２ａ…側部，２５…第１の受け部，２６…第２の受け部，２７…第３の受け部，３１…基部，３１ａ…先端，３１ｂ…端部，３２…湾曲部，３３…延出部，４１…第１の縁部，４２…第２の縁部，１０１…ポータブルコンピュータ。
【要約】
【課題】ディスプレイモジュールの破損を防止できるテレビおよび電子機器を提供する。
【解決手段】一つの実施形態に係る電子機器は、筐体と、ディスプレイモジュールと、受け部と、を具備している。前記筐体は、第１の内面と、前記第１の内面と対向した第２の内面と、を有している。前記ディスプレイモジュールは、前記第１の内面に重ねられて前記筐体に収容されたユニット部と、前記ユニット部に重ねられて前記第２の内面と対向したパネルと、を有している。前記受け部は、前記第１の内面から突出している。前記受け部は、前記ユニット部の側部に面した基部と、前記基部の先端から突出して前記パネルの側部に面し、第１の縁部と、前記第１の縁部に近づく方向に傾斜した第２の縁部と、を有した延出部と、を備えている。
【選択図】    図９【図１】
0004792119.tif 000002
【図２】
0004792119.tif 000003
【図３】
0004792119.tif 000004
【図４】
0004792119.tif 000005
【図５】
0004792119.tif 000006
【図６】
0004792119.tif 000007
【図７】
0004792119.tif 000008
【図８】
0004792119.tif 000009
【図９】
0004792119.tif 000010